(57)【要約】【解決する課題】車椅子をリクライニングにしても安定性があり、介護者が座乗者をベッドや椅子に移動させるために、ベッドや椅子に簡単に横付け出来るチルト機構を有するリクライニング式介護用車椅子を提供する。【課題を解決する手段】前部に回動可能な一対の前部キャスター１５と後部に一対の主車輪１６と、該主車輪の後部に一対の回動可能な後部キャスター１７と該一対の後部キャスター１７に連動するフットペダル１９を有し、アームレスト１８の高さの調節が可能なチルト機構を有するリクライニング式介護用車椅子１００とし、前記後部キャスター１７が通常使用時には転倒防止機構となり、後部キャスター１７に連動するフットペダル１９を踏動すると主車輪１６が持ち上がり、前記前部キャスター１５と前記後部キャスター１７によって、車椅子が横方向へ移動することもできるリクライニング式介護用車椅子１００とした。【選択図】図１
2005034189.tif 000002
【特許請求の範囲】
【請求項１】
前部に回動可能な一対の前部キャスターと後部に一対の主車輪と、該主車輪の後部に一対の回動可能な後部キャスターと該一対の後部キャスターに連動するフットペダルとアームレストの高さを調節する機構と、チルト機構を有するリクライニング式介護用車椅子であって、前記後部に着設された回動可能な一対の後部キャスターが通常使用時には転倒防止機構となり、前記後部の一対の後部キャスターに連動するフットペダルを踏動すると主車輪が持ち上がり、前記前部の回動可能な一対の前部キャスターと前記後部の回動可能な一対の後部キャスターによって、車椅子の横方向への移動が可能となることを特徴とするチルト機構を有するリクライニング式介護用車椅子。
【請求項２】
座部フレームの前部にスライド可能なスライド板を着設して、座部の長さを前後に調節することが可能であることを特徴とする請求項１に記載のチルト機構を有するリクライニング式介護用車椅子。
【請求項３】
床面から座部の上部までの高さが４００〜５００ｍｍの範囲内であることを特徴とする請求項１又は請求項２のいずれかに記載のチルト機構を有するリクライニング式介護用車椅子。
【発明の詳細な説明】
【０００１】
【発明の属する技術分野】本発明は、前部に回動可能なキャスターと中央部に主車輪と後部に回動可能なキャスターを有する車椅子で、ベッドや椅子等へ横付けすることができるチルト機構を有するリクライニング式介護用車椅子に関わる。
【０００２】
【従来の技術】従来の６輪式の車椅子は、座乗者が車椅子の後方に体重を移して、車椅子を後方に傾けて前部のキャスターを持ち上げ、狭いところでも回転して、移動するためにものであった。そのため、後部のキャスターは車椅子の後方に体重を移したときに、車椅子が後方に転倒するのを防ぐための転倒防止が大きな目的であった。
【０００３】
例えば、特許文献１の発明の目的は、第２頁段落（［０００９］）に、「本発明はこのような問題に鑑みてなされたものであり、車椅子の方向転換が円滑に行われ、しかも汎用性のある転倒防止機構の提供をその目的とするものである。」と記載されている。そしてその構成は、第２頁の請求項１に「キャスターと、略鉛直方向に延びて下端にキャスターが旋回自在に固定される固定ロッドと、一端が固定ロッドに回動可能に軸着されるとともに他端が車椅子の背面パイプに回動可能に軸着される支持アームと、一端が固定ロッドに回動可能に軸着されるとともに他端が車椅子の上方の部材に回動可能に軸着される伸縮部材とを備えた車椅子の転倒防止機構。」が開示されている。この発明の効果は、第３頁段落（［００１１］）に、「この転倒防止機構では、支持アームが背面パイプに固定されるので、支持アームが短尺となる。従って、荷重がかかったときのキャスター（後輪）の傾きが少なくなり、車椅子の方向転換が円滑となる。また、支持アームが背面パイプに取り付けられる構造なので、種々の車椅子に容易に装着できる。」効果を有していることが記載されている。
【０００４】
特許文献２の多機能車椅子の構成は、第２頁の請求項１に「転向方向が自在なる一対の自在輪を車台の前部に設け、前後方向のみに回転自在なる一対の主輪を車台の後部に設け、該車台上に背凭フレームと座板フレームを垂直面内で傾動可能に支持するとともに、転向方向が自在なる一対の補助輪を該車台の後部に着脱自在に取り付けることにより前記主輪を僅かに浮上せられるようにしたことを特徴とする多機能車椅子。」が開示されている。そして、その効果は、第２頁段落（［０００６］）第５行目より、「転向方向が自在なる一対の補助輪を該車台の後部に着脱自在に取り付けることにより前記主輪を僅かに浮上せられるようにしたことを特徴とする。このため、車椅子の狭い場所での移動を容易にする。」と記載されている。
【０００５】
上記のように、従来の６輪の車椅子は、汎用性のある転倒防止機構の提供や車椅子を狭い場所でも移動させることができるようにすることを目的として、車椅子の背面パイプに回動可能に軸着される支持アームに後輪を着設したり、車台の後部に着脱自在に取り付けることにより課題を解決している。しかし、転倒防止と車椅子の横方向への移動を同時に可能とした機構を備えた車椅子は未だない。
【０００６】
また、座面と背もたれが一緒に傾斜するチルト機構を有するリクライニング式の車椅子においては、座面の体重分布が変わるために褥創予防に良いといわれている。しかし、リクライニング式の車椅子にチルト機構を採用すると、リクライニングにした場合に、重心が後方に移動して転倒する危険性があり、主車輪の位置を後方に移動させなければならないという問題点があった。さらに、介護用のリクライニング式車椅子においては、介護者が座乗者をベッドや椅子に移動させるときに、ベッドや椅子に横付けできないため、介護者は非常な体力を必要としていた。それ故に、ベッドや椅子に簡単に横付けすることができるチルト機構付きの介護用のリクライニング式介護用車椅子の出現が望まれていた。
【０００７】
【特許文献１】特開２００１−３１４４５０号公報（第２頁参照）
【特許文献２】特開２００２−３０６５４３号公報（第２頁参照）
【０００８】
【発明が解決する課題】本発明は、車椅子をリクライニングにしても安定性があり、介護者が座乗者をベッドや椅子に移動させるために、ベッドや椅子に簡単に横付け出来るチルト機構を有するリクライニング式介護用車椅子を提供するものである。
【０００９】
【課題を解決する手段】本発明は、上記事実に鑑みてなされたもので、リクライニング式介護用車椅子の主車輪の前部と後部に回動可能なキャスターを着設して、主車輪を浮上させて横方向への動きを可能とすることによって、ベッドや椅子への接近を容易にすることに成功した。
【００１０】
本発明の課題を解決する手段は、前部に回動可能な一対の前部キャスターと後部に一対の主車輪と、該主車輪の後部に一対の回動可能な後部キャスターと該一対の後部キャスターに連動するフットペダルとアームレストの高さを調節する機構と、チルト機構を有するリクライニング式介護用車椅子であって、前記後部に着設された回動可能な一対の後部キャスターが通常使用時には転倒防止機構となり、前記後部の一対の後部キャスターに連動するフットペダルを踏動すると主車輪が持ち上がり、前記前部の回動可能な一対の前部キャスターと前記後部の回動可能な一対の後部キャスターによって、車椅子の横方向への移動が可能となることを特徴とするチルト機構を有するリクライニング式介護用車椅子である。回動可能な後部キャスターを着設することによって、車椅子をリクライニングにしても安定性があり、後部キャスターに連設した踏動可能なフットペダルを踏むだけで、非力な介護者でも主車輪を容易に浮上させることができる。主車輪が浮上したリクライニング式介護用車椅子は、ベッドや椅子にリクライニング式介護用車椅子を接近させて、アームレストを下げて車椅子の側面から座乗者を簡単にベッドや椅子に移乗させることができる。チルト機構を有することにより、長時間座乗していても疲れず、座面の体重分布が変わるために褥創予防に有用である。
【００１１】
本発明の課題を解決するための別の手段は、座部フレームの前部にスライド可能なスライド板を着設して、座部の長さを前後に調節することできることを特徴とする請求項１に記載のチルト機構を有するリクライニング式介護用車椅子である。リクライニング式介護用車椅子の座部フレームの前部に前後方向にスライドするスライド板を着設したことによって、座乗者の体格や疾患状態によって座部の長さを前後に調節することができ、長時間の座乗にも疲れない状態にすることができる。
【００１２】
本発明の課題を解決するための別の手段は、床面から座部の上部までの高さが４００〜５００ｍｍの範囲内であることを特徴とする請求項１又は請求項２のいずれかに記載のチルト機構を有するリクライニング式介護用車椅子である。被介護者を車椅子に座乗させるときや、車椅子からベッドに移乗させる場合に、ベッドよりも高すぎない適度な高さである。
【００１３】
【発明の実施の態様】本発明の実施の態様を図面を用いて以下に説明するが、本発明の要旨に記載の範囲内において、以下の実施例に限定されるものではない。
【００１４】
本発明のチルト機構を有するリクライニング式介護用車椅子１００は、図１に示すように把持部２６を備えた背もたれフレーム１１に弾力性を有する背もたれと、座部フレーム１２からフットレスト支持フレーム１３にかけて弾力性を有する座部を着設することができるリクライニング式介護用車椅子である。本発明のリクライニング式介護用車椅子１００はチルト機構を有し、背もたれフレーム１１を倒すと背もたれフレーム１１に連動してチルト機構フレーム２４が座部フレーム１２を押し上げると共に、フットレスト支持フレーム１３を押し上げて、背もたれフレーム１１が倒れるにつれて、フットレスト支持フレーム１３が上昇する。座部を押し上げるチルト機構とフットレスト支持フレーム１３を押し上げる機構はそれぞれ背もたれフレーム１１の操作部２７の左右のレバー２７ａ、２７ｂを引くことによって可能となる。フットレスト支持フレーム１３はインナーパイプ１３ａとアウターパイプ１３ｂよりなっており、被介護者の身長や疾患の状態によってフットレスト支持フレーム１３の長さを調節して、フットレスト１４を適切な位置にすることができる。フットレスト支持フレーム１３の長さ調節をした時は、押出補助フレーム４３ｂに設けられた調節孔４３ａに着設するフットレスト支持フレーム１３の固定部１３ｃを適切な位置に変更することによって、リクライニングにした時にフットレスト１４をフラットにすることができる。
【００１５】
主車輪１６の後方に設けられた後部キャスター１７は、本発明のチルト機構を有するリクライニング式介護用車椅子１００をリクライニングにしたときに、車椅子の重心移動による転倒防止作用がある。転倒防止作用を有する後部キャスター１７は常に主車輪１６と同様に接地している必要はなく、主車輪１６の接地面より数センチ上、すなわち、後部キャスター１７が床面より２〜３ｃｍ上であっても転倒防止効果を有している。
【００１６】
従来のリクライニング式車椅子は床面より座部上部までの高さが約５６０ｍｍ位であった。床面より座部上部までの高さが高すぎると、車椅子からベッドへの移動、あるいは、ベッドから車椅子への移動に大変な体力を必要とすることから、あまりベッドよりも高すぎないように、床面から座部上部までの高さは４００〜５００ｍｍ位が望ましく、本発明のチルト機構を有するリクライニング式介護用車椅子１００の高さは、床面より座部上部までの高さを４６０ｍｍに設定した。
【００１７】
主車輪１６の後方に設けられた後部キャスター１７は、左右の後部キャスター１７に連結されたフットペダル１９を踏むと、図２に示すように、主車輪１６が浮き上がるようになっている。主車輪１６が浮き上がることによって、本発明のチルト機構を有するリクライニング式介護用車椅子１００は、前部キャスター１５と後部キャスター１７によって支持される。この結果、本発明のチルト機構を有するリクライニング式介護用車椅子１００は回動可能な前部キャスター１５と後部キャスター１７によって前方への移動のみならず、横方向への移動も可能となる。主車輪１６を浮上させることによって、リクライニング式介護用車椅子１００をベッドや椅子に接近させて、アームレストを下げて車椅子の側面から座乗者を簡単にベッドや椅子に移乗させることができる。
【００１８】
図３は本発明のリクライニング式介護用車椅子１００の座部の前部側を示す。本発明のチルト機構を有するリクライニング式介護用車椅子１００のフットレストフレーム１３の押上は、背もたれフレーム１１の後部の操作部２７のレバー２７ａにフットレスト用伸縮部材操作ワイヤ４１が連結されている。このレバー２７ａを引くと、フットレスト用伸縮部材４４のロックがはずれ、フットレスト用伸縮部材４４に連設された押上フレーム４３がフットレストフレーム１３を押上げる。任意の位置で操作部２７のレバー２７ａを離すとフットレスト用伸縮部材４４のロックが掛かり、フットレスト１４が任意の位置で固定される。
【００１９】
図４は本発明のチルト機構を有するリクライニング式介護用車椅子１００の座部の後部側を示す。車椅子の後部下側に座部用伸縮部材４５が着設されている。座部用伸縮部材４５は背もたれフレーム１１の後部の操作部２７のレバー２７ｂ（図示せず）に連結された座部用伸縮部材操作ワイヤ４２を引くと、座部用伸縮部材４５のロックが解除されて、背もたれフレーム１１を後方に倒してリクライニングにしていく、さらに、座部用伸縮部材４５が下から座部フレームを押し上げて座面にチルト角度を持たせることができる。リクライニング式介護用車椅子１００にチルト機構を設けたことにより、長時間座乗していても疲れず、座面の体重分布を変えられることによって褥創予防に有用である。一般に、チルトにすると車椅子の重心が後方にずれて後方に転倒する危険性があるが、本発明のリクライニング式介護用車椅子１００は、後部キャスター１７を取着したことによって、チルトにしても車椅子を安定な状態に維持することができる。
【００２０】
図５は本発明のチルト機構を有するリクライニング式介護用車椅子の主車輪を取り外した座の側面を示す。後部キャスター１７は後部キャスター支持フレーム３０に着設され、後部キャスター支持フレーム３０は内部フレーム３２の下に押上部材３１と屈曲部材１９ａによって支持されている。アームレスト１８はアームレスト支持フレーム１８ａによって支持され、アームレスト支持フレーム１８ａはアームレスト支持部１８ｂに嵌挿されて、バネが付勢されたピン１８ｃによって固定されている。アームレスト１８の高さを調節する場合は、バネが付勢されたピン１８ｃを押してアームレスト支持部１８ｂを上下に摺動させて調節する。アームレスト支持フレーム１８ａの固定方法は、バネが付勢されたピン１８ｃに限定されるものではなく、ネジで締め付ける方法であっても良い。
【００２１】
図６は、本発明のチルト機構を有するリクライニング式介護用車椅子１００の後部左側の後部キャスター１７の取着方法を示す。主車輪１６の後部にサイドフレーム２１上に主車輪用のブレーキペダル２８とこのブレーキペダル２８によって作動するブレーキ２９が着設されている。この主車輪１６のブレーキペダル２８に隣接して後部キャスター１７を取着した後部キャスター支持フレーム３０が押上部材３１とフットペダル１９の屈曲部材１９ａに支持されている。フットペダル１９を踏み込むと後部キャスター支持フレーム３０が屈曲部材１９ａに押されて前方に移動し、バネ部材が付勢された押上部材３１によって内部フレーム３２が押し上げられて、主車輪１６が浮上し、本発明のリクライニング式介護用車椅子１００が回動可能な前部キャスター１５と後部キャスター１７によって支持され、前後方向と横方向への移動が自在となる。
【００２２】
図７は、本発明のチルト機構を有するリクライニング式介護用車椅子１００の後部右側の後部キャスター１７部分を示す。後部キャスター１７の取着部を示すもので、後部キャスター１７を支持するための後部キャスター支持フレーム３０はフットペダル１９の屈曲部材１９ａと押上部材３１によって支持されている。フットペダル１９を踏み込むと後部キャスター支持フレーム３０が屈曲部材１９ａによって前方に押され、バネが付勢された押上部材３１が屈曲して内部フレーム３２を押し上げて、主車輪１６を浮上させることができる。
【００２３】
一般に、折り畳み椅子に設けられている転倒防止機構に付設されるペダルは左右のペダルは連動していないが、本発明のチルト機構を有するリクライニング式介護用車椅子１００は後部キャスター１７が転倒防止機構となり、左右の後部キャスター１７がフットペダル１９によって連動しており、フットペダル１９を踏動すると左右の転倒防止機構としての回動可能な後部キャスター１７が主車輪１６を持ち上げて、回動可能な前部キャスター１５と後部キャスター１７によって、車椅子を簡単にベッドや椅子に横付けすることができる。
【００２４】
図８は板バネ３８を示し、バネが付勢された押上部材３１に換えて、フットペダル１９の屈曲部材１９ａの下にこの板バネ３８を取着する。この板バネ３８は図９に示すようにフットペダル１９の屈曲部材１９ａの下に取着すると、押上部材３１にバネを付勢する必要がなくなることから、図８に示す押上部材３１は２枚の板から構成されているが、これが図９に示すように、１枚の板で押上可能となり、しかも、フットペダル１９を元の位置に復帰させる効果も有している。さらに、バネや板バネ、ゴム等に換えて伸縮部材を使用することもできる。
【００２５】
図１０は巻きバネ、板バネ等のバネ部材の他に後部キャスター用の伸縮部材３９を使用した例を示す。後部キャスター用の伸縮部材３９としてガススプリング（ガスダンパー）を用いた。伸縮部材３９を用いることによってフットペダル１９の踏み込みが軽くなった。図１０においては、後部キャスター１７が床面から若干浮上させているが、後部キャスター１７をこのように床面から若干浮上させることによって、通常使用時に介護者の後方での足回りを広くすることができるとともに、介護者が車椅子を押す時の抵抗を少なくすることができる。また、床面から後部キャスター１７が２〜３ｃｍ位浮上した状態であれば、後方に倒れた時の衝撃吸収性は若干悪くなるが、転倒防止機構としても十分に作用する。
【００２６】
図１１は、フットペダル１９を踏んで、後部キャスター１７を下げた状態を示す。図１１では、フットペダル１９を踏んで後部キャスター１７が床面より下がった状態で示しているが、この後部キャスター１７が床面より下がっている分だけ主車輪１６が浮上していることを示す。このように、後部キャスター１７を上げ下ろしするための方法は巻きバネ、板バネ、ゴム等の他、ガスダンパーやロータリーダンパー等の伸縮部材を使用することができ、特に、後部キャスター１７を上げ下ろしするための方法は上記実施例に限定されるものではない。
【００２７】
図１２は主車輪１６の車軸を移動させるためのアタッチメント３４を示す。図１２に示すアタッチメントは、図１１に示す取り付け位置３３にアタッチメント３４のネジ孔３４ａ、３４ｂ、３４ｃとアタッチメント取付位置３３に設けたネジ孔と合わせてネジで固定し、３４ｄに主車輪の車軸を挿入して固定する。このアタッチメント３４を使用することによって、主車輪１６は車椅子の前方に約１８０ｍｍ移動させることができる。体の大きい被介護者が使用する場合に、主車輪の位置を車椅子の前方に移動させて、安定な状態で使用することができる。
【００２８】
図１３はカバー付きアームレスト３５を示す。本発明のチルト機構を有するリクライニング式介護用車椅子１００にカバー付きアームレスト３５を装着した例を示す。アームレスト１８をカバーで覆い、美しく仕上げたものである。アームレスト１８の下部両側にアームレスト支持フレーム２０を挟むように狭着板３５ａ、３５ｂを取着して、その上から美しい不織布を貼着した。アームレスト１８の上下動は搭乗者が操作し易いように、アームレスト１８の直ぐ下にレバー３５ｃを取着してワイヤー３５ｄでアームレストの固定部１８ｃのバネが付勢されたピンに連結した。アームレスト支持フレーム２０を挟んだ狭着板３５ａ、３５ｂの間の不織布には切り込み３５ｅを入れて、アームレスト支持フレーム２０の上下動を可能とした。
【００２９】
図１４は座部の長さを前後に調節するために座部の前方に着設したスライド板３６を示す。スライド板３６は搭乗者の体格によって、座部を前に出したり、後に下げたりする場合に、スライド板３６のネジ３６ｂを緩めて、中央に設けられた長方形のネジ孔３６ａの中を摺動させて、所望の位置でネジ３６ｂを締めることによって、座部の長さを前後に調整することが可能となっている。
【００３０】
図１５は本発明のチルト機構を有するリクライニング式介護用車椅子１００に座部、背もたれ部の連なったクッション３７を装着した状態を示す。チルト機構を有するリクライニング式介護用車椅子１００にフットレスト１４から背もたれ部までが繋がった状態のクッション３７を装着することによって、リクライニング状態にしても座部と背もたれが離れることもなく、座乗者は安定した状態で着座することができる。
【００３１】
図１６はチルト機構を有するリクライニング式介護用車椅子１００をリクライニングにした状態を示す。背もたれフレーム１１に取着されたリクライニングを操作する操作部２７のレバー２７ｂ（図示せず）を引くことによって、チルト機構を有するリクライニング式介護用車椅子１００をリクライニングの状態にすることができる。また、操作部２７のレバー２７ａを引くことによって、フットレスト１４を上げることができる。さらに、後部のフットペダル１９を踏むと、後部キャスター１７の前方に取着された押上部材３１によって、主車輪１６が持ち上がる。この主車輪１６が持ち上がった状態において、前部キャスター１５と後部キャスター１７によってチルト機構を有するリクライニング式介護用車椅子１００は、左右への移動が可能となり、被介護者をベッドに移す場合、あるいはベッドからチルト機構を有するリクライニング式介護用車椅子１００に乗せる場合に大きな力を必要とせず、被介護者にも苦痛を与えずに移乗させることができる。
【００３２】
【発明の効果】本発明のチルト機構を有するリクライニング式介護用車椅子は、後部キャスターを着設したことによって、リクライニングにしても後方に転倒する心配がなく、安定な状態で使用することができる。さらに、後部キャスターに連設した踏動可能なフットペダルを踏むだけで、非力な介護者でも主車輪を容易に浮上させることができる。主車輪が浮上したチルト機構を有するリクライニング式介護用車椅子は、ベッドや椅子にリクライニング式介護用車椅子を接近させて、アームレストを下げると車椅子の側面から座乗者を簡単にベッドや椅子に移乗させることができる。
【００３３】
リクライニング式介護用車椅子にチルト機構を装着したことにより、長時間座乗していても疲れず、座面の体重分布が変わるために褥創予防に有用である。
【００３４】
チルト機構を有するリクライニング式介護用車椅子の座部の前部に前後方向にスライドするスライド板を着設したことによって、座乗者の疾患状態や体格によって座部の長さを調節することができ、長時間の座乗にも疲れない効果を有している。
【図面の簡単な説明】
【図１】リクライニング式介護用車椅子の側面図。
【図２】主車輪を浮かせた状態のリクライニング式介護用車椅子の側面図。
【図３】フットレストを上げる機構を示す前方側の上面図。
【図４】チルト機構を示す後方側の上面図。
【図５】後部キャスターの位置関係を示す部分斜視図。
【図６】後部キャスターの左側部の構造を示す部分斜視図。
【図７】後部キャスターの右側部の構造を示す部分斜視図。
【図８】板バネの斜視図。
【図９】板バネを取着したフットペダル部分の側面図。
【図１０】伸縮部材を取着し、フットペダルを上げた状態の部分側面図。
【図１１】伸縮部材を取着し、フットペダルを下げた状態の部分側面図。
【図１２】主車輪のアタッチメントの斜視図。
【図１３】カバー付きアームレストの斜視図。
【図１４】座部のスライド板の上面図。
【図１５】リクライニング式介護用車椅子の斜視図。
【図１６】リクライニング式介護用車椅子をリクライニングにした斜視図。
【符号の説明】
１００：リクライニング式介護用車椅子
１１：背もたれフレーム
１２：座部フレーム
１３：フットレスト支持フレーム
１４：フットレスト
１５：前部キャスター
１６：主車輪
１７：後部キャスター
１８：アームレスト
１９：フットペダル
２０：前部フレーム
２１：サイドフレーム
２２：後部フレーム
２３：下部フレーム
２４：チルト機構フレーム
２５：伸縮部材
２６：把持部
２７：操作部
２８：ブレーキペダル
２９：ブレーキ
３０：後部キャスター支持フレーム
３１：押上部材
３２：内部フレーム
３３：アタッチメント取付位置
３４：アタッチメント
３５：カバー付きアームレスト
３６：スライド板
３７：クッション
３８：板バネ
３９：後部キャスター用伸縮部材
４１：フットレスト用伸縮部材操作ワイヤ
４２：座部用伸縮部材操作ワイヤ
４３：押出フレーム
４４：フットレスト用伸縮部材
４５：座部用伸縮部材
【図１】
2005034189.tif 000003
【図２】
2005034189.tif 000004
【図３】
2005034189.tif 000005
【図４】
2005034189.tif 000006
【図５】
2005034189.tif 000007
【図６】
2005034189.tif 000008
【図７】
2005034189.tif 000009
【図８】
2005034189.tif 000010
【図９】
2005034189.tif 000011
【図１０】
2005034189.tif 000012
【図１１】
2005034189.tif 000013
【図１２】
2005034189.tif 000014
【図１３】
2005034189.tif 000015
【図１４】
2005034189.tif 000016
【図１５】
2005034189.tif 000017
【図１６】
2005034189.tif 000018